(57)【要約】      （修正有）【課題】被包装物の移動を規制した包装用袋を提供する。【解決手段】包装用袋Ｘは、表側のフィルム20と裏側のフィルム10とを、表側のフィルム20の底部と裏側のフィルム10の底部とが離間しないように、表側のフィルム20の底部と裏側のフィルム10の底部とを重ねると共に、重なった部分は部分的に付着され、表側のフィルム20と裏側のフィルム10との外周縁は付着されて、内側に被包装物100 を収納する収納部Ｙが形成され、付着されていない対向する表側のフィルム20と裏側のフィルム10との間には空気が収納される空間Ｐが形成され、空間Ｐに空気を供給する通路部材50が表側のフィルム20と裏側のフィルム10との間に設けられ、通路部材50の一端が空間Ｐに、通路部材50の他端が外気に臨んでいるものである。【選択図】図３
2005075436.tif 000002
【特許請求の範囲】
【請求項１】
表側のフィルムと裏側のフィルムとを、前記表側のフィルムの底部と前記裏側のフィルムの底部とが離間しないように、前記表側のフィルムの底部と前記裏側のフィルムの底部とを重ねると共に、重なった部分は部分的に付着され、前記表側のフィルムと前記裏側のフィルムとの外周縁は付着されて、内側に被包装物を収納する収納部が形成され、付着されていない対向する前記表側のフィルムと前記裏側のフィルムとの間には空気が収納される空間が形成され、前記空間に空気を供給する通路部材が前記表側のフィルムと前記裏側のフィルムとの間に設けられ、前記通路部材の一端が前記空間に、前記通路部材の他端が外気に臨んでいる
ことを特徴とする包装用袋。
【請求項２】
裏側のフィルムは、第１の辺、第２の辺、第３の辺、第４の辺を有する矩形形状であり、
前記第１の辺が前記第３の辺に、前記第２の辺が前記第４の辺に、それぞれ対向し、
表側のフィルムは前記裏側のフィルムと同一形状であり、
この表側のフィルムの第１の辺が前記裏側のフィルムの第１の辺に、前記表側のフィルムの第２の辺が前記裏側のフィルムの第２の辺に、前記表側のフィルムの第３の辺が前記裏側のフィルムの第３の辺に、前記表側のフィルムの第４の辺が前記裏側のフィルムの第４の辺に、それぞれ対応するように、前記表側のフィルムと前記裏側のフィルムとは対向しており、
前記裏側のフィルムの第１の辺と前記表側のフィルムの第１の辺との間を横断するにように設けられた空気の通路を有する通路部材と、
この通路部材を前記裏側のフィルムの第１の辺と前記表側のフィルムの第１の辺に付着すると共に、前記裏側のフィルムの第１の辺と前記表側のフィルムの第１の辺との対向する部分を付着して形成された第１付着部と、
前記裏側のフィルムの第３の辺と前記表側のフィルムの第３の辺とを付着して形成された第２付着部と、
外側に前記表側のフィルムが、内側に裏側のフィルムが、それぞれ位置すると共に、前記裏側のフィルムの第１の辺が前記裏側のフィルムの第３の辺に、重なり合うように折曲し、該折曲した部分に位置する前記裏側のフィルムと前記表側のフィルムとは、部分的に付着されて形成された第３付着部と、
前記裏側のフィルムの第１の辺が前記裏側のフィルムの第３の辺に、重なり合うように折曲し、折曲して重なり合った前記第２の辺の側の周縁が付着されて形成された第４付着部と、
前記裏側のフィルムの第１の辺が前記裏側のフィルムの第３の辺に、重なり合うように折曲し、折曲して重なり合った前記第４の辺の側の周縁が付着されて形成された第５付着部と、
前記通路部材の一端が、前記第１付着部、前記第２付着部、前記第４付着部、前記第５付着部によりシ−ルされた前記裏側のフィルムと前記表側のフィルムの間に形成された空間に臨み、前記通路部材の他端が、外方に臨んでいる
ことを特徴とする包装用袋。
【発明の詳細な説明】
【技術分野】
【０００１】
本発明は、包装用袋に係り、特に、被包装物の移動を規制した包装用袋に関する。
【背景技術】
【０００２】
従来、外装フィルム（表側のフィルム）と内装フィルム（裏側のフィルム）とを、外装フィルムの底部よりも内装フィルムの底部が浅くなるように重ねて、その外周縁を溶着した包装用袋体があり、該包装用袋体の両側端の開口を規制すると共に被包装物のずれを防止する隔壁を設けているものがある（例えば、特許文献１参照）。
【特許文献１】特許第３０３４１９０号公報（段落番号［００１８］  図１）。
【発明の開示】
【発明が解決しようとする課題】
【０００３】
しかしながら、上述した包装用袋体にあっては、内装フィルムの底部が外装フィルムの底部より離間して、内装フィルムが移動できるため、内装フィルム内に収納された被包装物が移動し易く、安定しないという不具合が生じた。
本発明は、上述した問題点を除去するようにした包装用袋を提供するものである。
【課題を解決するための手段】
【０００４】
上記目的を達成するために、請求項１記載の包装用袋は、表側のフィルムと裏側のフィルムとを、前記表側のフィルムの底部と前記裏側のフィルムの底部とが離間しないように、前記表側のフィルムの底部と前記裏側のフィルムの底部とを重ねると共に、重なった部分は部分的に付着され、前記表側のフィルムと前記裏側のフィルムとの外周縁は付着されて、内側に被包装物を収納する収納部が形成され、付着されていない対向する前記表側のフィルムと前記裏側のフィルムとの間には空気が収納される空間が形成され、前記空間に空気を供給する通路部材が前記表側のフィルムと前記裏側のフィルムとの間に設けられ、前記通路部材の一端が前記空間に、前記通路部材の他端が外気に臨んでいるものである。
【０００５】
また、請求項２記載の包装用袋は、裏側のフィルムは、第１の辺、第２の辺、第３の辺、第４の辺を有する矩形形状であり、前記第１の辺が前記第３の辺に、前記第２の辺が前記第４の辺に、それぞれ対向し、表側のフィルムは前記裏側のフィルムと同一形状であり、この表側のフィルムの第１の辺が前記裏側のフィルムの第１の辺に、前記表側のフィルムの第２の辺が前記裏側のフィルムの第２の辺に、前記表側のフィルムの第３の辺が前記裏側のフィルムの第３の辺に、前記表側のフィルムの第４の辺が前記裏側のフィルムの第４の辺に、それぞれ対応するように、前記表側のフィルムと前記裏側のフィルムとは対向しており、前記裏側のフィルムの第１の辺と前記表側のフィルムの第１の辺との間を横断するにように設けられた空気の通路を有する通路部材と、この通路部材を前記裏側のフィルムの第１の辺と前記表側のフィルムの第１の辺に付着すると共に、前記裏側のフィルムの第１の辺と前記表側のフィルムの第１の辺との対向する部分を付着して形成された第１付着部と、前記裏側のフィルムの第３の辺と前記表側のフィルムの第３の辺とを付着して形成された第２付着部と、外側に前記表側のフィルムが、内側に裏側のフィルムが、それぞれ位置すると共に、前記裏側のフィルムの第１の辺が前記裏側のフィルムの第３の辺に、重なり合うように折曲し、該折曲した部分に位置する前記裏側のフィルムと前記表側のフィルムとは、部分的に付着されて形成された第３付着部と、前記裏側のフィルムの第１の辺が前記裏側のフィルムの第３の辺に、重なり合うように折曲し、折曲して重なり合った前記第２の辺の側の周縁が付着されて形成された第４付着部と、前記裏側のフィルムの第１の辺が前記裏側のフィルムの第３の辺に、重なり合うように折曲し、折曲して重なり合った前記第４の辺の側の周縁が付着されて形成された第５付着部と、前記通路部材の一端が、前記第１付着部、前記第２付着部、前記第４付着部、前記第５付着部によりシ−ルされた前記裏側のフィルムと前記表側のフィルムの間に形成された空間に臨み、前記通路部材の他端が、外方に臨んでいるものである。
【発明の効果】
【０００６】
請求項１又は２記載の包装用袋によれば、内側に位置する裏側のフィルムに設けられた収納部に被包装物を入れ、裏側のフィルムと表側のフィルムの間に形成された空間に空気（例えば、通路部材を介して空気を封入する。）を封入して、被包装物の周囲を裏側のフィルムを介して空気により覆って包装すれば、収納部に収納された被包装物は、周囲を空気により覆われ、表側のフィルムの底部と裏側のフィルムの底部とが重なると共に、重なった部分は部分的に溶着されているため、部分的に溶着されている分、被包装物の移動が規制されて安定し、被包装物がより保護される。
【実施例】
【０００７】
本発明の一実施例の包装用袋を図面を参照して説明する。
図１乃至図２において、Ｘは包装用袋で、包装用袋Ｘは、例えば、表側のフィルム20と裏側のフィルム10との間に空気を封入して裏側のフィルム10内に被包装物100 を収納するものである。
即ち、包装袋Ｘは、表側のフィルム20と裏側のフィルム10とを、表側のフィルム20の底部20ａと裏側のフィルム10の底部10ａとが離間しないように、表側のフィルム20の底部20ａと裏側のフィルム10の底部10ａとを重ねると共に、重なった部分は部分的に付着（付着は、例えば、熱溶着であり、該付着部分は、図６において、符号３で示される。）されている（図１、図３、図４、図７、図１０、図１１及び図１２及び参照）。
そして、表側のフィルム20と裏側のフィルム10との外周縁は付着（例えば、熱溶着）されて、内側に被包装物100 を収納する収納部Ｙが形成されている。付着されていない対向する表側のフィルム20と裏側のフィルム10との間には空気が収納される空間Ｐが形成されているものである（図２及び図３参照）。
【０００８】
なお、空間Ｐに空気を供給する通路部材50が表側のフィルム20と裏側のフィルム10との間に設けられ、通路部材50の一端は空間Ｐに、通路部材50の他端は外気に臨んでいる。
通路部材50を図示しないプラスチック製のパイプで形成し、通路部材50の外気に臨む側の他端を図示しない蓋、栓等で着脱自在に封止しても良いが、通路部材50は、例えば、周知の逆止弁機能付きのものが望ましい。
即ち、本実施例の通路部材50は、二枚のフィルムで構成し、該二枚のフィルムの間から空気を空間Ｐ内へ供給すると、対向するフィルムの間に空気が通る通路が形成され、空気を停止すると、通路部材50の一端は空間Ｐ内に位置しているため、空間Ｐ内の空気圧により対向するフィルムが接触して空気が通る通路が閉塞され、空間Ｐ内の空気が外方に出るのを阻止されるようになっている。
【０００９】
上述した包装用袋Ｘは、次のようにして形成することができる。
図５に示すように、裏側のフィルム10は、第１の辺10Ａ、第２の辺10Ｂ、第３の辺10Ａ’、第４の辺10Ｂ’を有する矩形形状であり、第１の辺10Ａが第３の辺10Ａ’に、第２の辺10Ｂが第４の辺10Ｂ’に、それぞれ対向し、また、表側のフィルム20は裏側のフィルム10と同一形状で、第１の辺20Ａ、第２の辺20Ｂ、第３の辺20Ａ’、第４の辺20Ｂ’を有する矩形形状であり、第１の辺20Ａが第３の辺20Ａ’に、第２の辺20Ｂが第４の辺20Ｂ’に、それぞれ対向している。
この表側のフィルム20の第１の辺20Ａが裏側のフィルム10の第１の辺10Ａに、表側のフィルム20の第２の辺20Ｂが裏側のフィルム10の第２の辺10Ｂに、表側のフィルム20の第３の辺20Ａ’が裏側のフィルム10の第３の辺10Ａ’に、表側のフィルム20の第４の辺20Ｂ’が裏側のフィルム10の第４の辺10Ｂ’に、それぞれ対応するように、表側のフィルム20と裏側のフィルム10とは対向している（図５参照）。
【００１０】
なお、図５に示す通路部材50は、裏側のフィルム10の第１の辺10Ａと表側のフィルム20の第１の辺20Ａとの間を横断するにように設けられている。
そして、図５及び図６に示すように、通路部材50を裏側のフィルム10の第１の辺10Ａと表側のフィルム20の第１の辺20Ａに付着（例えば、熱溶着）すると共に、裏側のフィルム10の第１の辺10Ａと表側のフィルム20の第１の辺20Ａとの対向する部分を付着（例えば、熱溶着）して第１付着部１を形成する。
即ち、対向する裏側のフィルム10の第１の辺10Ａと表側のフィルム20の第１の辺20Ａの部分、対向する裏側のフィルム10の第１の辺10Ａと通路部材50の部分（より詳しくは、扁平状の通路部材50の一方の面とこの面に対向する裏側のフィルム10の第１の辺10Ａの部分を付着する。）、対向する表側のフィルム20の第１の辺20Ａと通路部材50の部分（より詳しくは、扁平状の通路部材50の他方の面とこの面に対向する表側のフィルム20の第１の辺20Ａの部分を付着する。）、をそれぞれ付着（例えば、熱溶着）して第１付着部１を形成し、第１の辺10Ａと第１の辺20Ａの対向する部分、扁平状の通路部材50の一方の面とこの面に対向する裏側のフィルム10の第１の辺10Ａの部分、扁平状の通路部材50の他方の面とこの面に対向する表側のフィルム20の第１の辺20Ａの部分の気密性を保つようにしている。
【００１１】
また、裏側のフィルム10の第３の辺10Ａ’と表側のフィルム20の第３の辺20Ａ’とを付着（例えば、熱溶着）して第２付着部２を形成する。言い換えれば、対向する裏側のフィルム10の第３の辺10Ａ’と表側のフィルム20の第３の辺20Ａ’の部分を付着して、第３の辺10Ａ’と第３の辺20Ａ’の部分の気密性を保つようにしている。
また、図６及び図７に示すように、裏側のフィルム10及び表側のフィルム20の第２の辺10Ｂ、20Ｂと第４の辺10Ｂ’、20Ｂ’の中央を横断するように折曲し、外側には表側のフィルム20が、内側には裏側のフィルム10が、それぞれ位置するようにする。
即ち、外側に表側のフィルム20が、内側に裏側のフィルム10が、それぞれ位置すると共に、裏側のフィルム10の第１の辺10Ａが裏側のフィルム10の第３の辺10Ａ’に、重なり合うように折曲し、該折曲した部分に位置する裏側のフィルム10と表側のフィルム20とは、部分的に付着（例えば、熱溶着）して第３付着部３を形成する（図６及び図７参照）。
この第３付着部３は、例えば、直線状に付着しており、該直線状に付着した部分は、裏側のフィルム10の第１の辺10Ａ、第３の辺10Ａ’（表側のフィルム20の第１の辺20Ａ、第３の辺20Ａ’）に平行で、裏側のフィルム10の第２の辺10Ｂ、第４の辺10Ｂ’（表側のフィルム20の第２の辺20Ｂ、第４の辺20Ｂ’）の中央を横断するように折曲し、該折曲した部分に位置する裏側のフィルム10と表側のフィルム20とを部分的に付着（例えば、熱溶着）している。
【００１２】
また、図７及び図８に示すように、裏側のフィルム10の第１の辺10Ａが裏側のフィルム10の第３の辺10Ａ’に、重なり合うように折曲し、折曲して重なり合った第２の辺10Ｂの側の周縁が付着（例えば、熱溶着）されて第４付着部４が形成されている。
この第４付着部４は、裏側のフィルム10の第２の辺10Ｂの折曲して対向する部分が付着（例えば、熱溶着）する付着部４’と、表側のフィルム20の第２の辺20Ｂと対向する裏側のフィルム10の第２の辺10Ｂを付着（例えば、熱溶着）する付着部４”と、表側のフィルム20の第２の辺20Ｂと対向する裏側のフィルム10の第２の辺10Ｂを付着（例えば、熱溶着）する付着部４”’とを有している。
【００１３】
また、図７及び図９に示すように、裏側のフィルム10の第１の辺10Ａが裏側のフィルム10の第３の辺10Ａ’に、重なり合うように折曲し、折曲して重なり合った第４の辺10Ｂ’の側の周縁が付着（例えば、熱溶着）されて第５付着部５が形成されている。
この第５付着部５は、裏側のフィルム10の第４の辺10Ｂ’の折曲して対向する部分が付着（例えば、熱溶着）する付着部５’と、表側のフィルム20の第４の辺20Ｂ’と対向する裏側のフィルム10の第４の辺10Ｂ’を付着（例えば、熱溶着）する付着部５”と、表側のフィルム20の第４の辺20Ｂ’と対向する裏側のフィルム10の第４の辺10Ｂ’を付着（例えば、熱溶着）する付着部５”’とを有している。
なお、第４付着部４及び第５付着部５は、同時に熱溶着（熱シ−ル）することができる。
【００１４】
そして、通路部材50の一端は、第１付着部１、第２付着部２、第４付着部４、第５付着部５によりシ−ルされた裏側のフィルム10と表側のフィルム20の間に形成された空間Ｐに臨み、通路部材50の他端は外方に臨んでいる。
【００１５】
従って、この実施例の包装用袋Ｘによれば、内側に位置する裏側のフィルム10に設けられた収納部Ｙに被包装物100 を入れ、裏側のフィルム10と表側のフィルム20の間に形成された空間Ｐに空気（例えば、通路部材50を介して空気を封入する。）封入して、被包装物100 の周囲を裏側のフィルム10を介して空気により覆って包装すれば、裏側のフィルム10内に収納された被包装物100 は、周囲を空気により覆われ、表側のフィルム20の底部20ａと裏側のフィルム10の底部10ａとが重なると共に、重なった部分は、図４、図７及び図１０に示されるように、部分的に溶着されているため、部分的に溶着されている分、被包装物100 の移動が規制されて安定し、被包装物100 がより保護される。
【図面の簡単な説明】
【００１６】
【図１】図１は、本発明の一実施例の包装用袋の使用状態の概略的斜視図である。
【図２】図２は図１の２−２線による概略的断面図である。
【図３】図３は、図１の３−３線による概略的断面図である。
【図４】図４は、図１の４−４線による概略的断面図である。
【図５】図５は、図１の包装用袋の製造過程を示す概略的斜視図である。
【図６】図６は、図５の裏側のフィルムと表側のフィルムとを付着させた状態を示す概略的平面図である。
【図７】図７は、図６の裏側のフィルムと表側のフィルムとを折り曲げ、折り曲げた裏側のフィルムと表側のフィルムとを付着させた状態を示す概略的平面図である。
【図８】図８は、図７の８−８線による概略的断面図である。
【図９】図９は、図７の９−９線による概略的断面図である。
【図１０】図１０は、図７の１０−１０線による概略的断面図である。
【図１１】図１１は、図７の１１−１１線による概略的断面図である。
【図１２】図１２は、図７の１２−１２線による概略的断面図である。
【符号の説明】
【００１７】
Ｘ  ・・・・・包装用袋
Ｙ  ・・・・・収納部
Ｐ  ・・・・・空間
10  ・・・・・裏側のフィルム
20  ・・・・・表側のフィルム
50  ・・・・・通路部材
100 ・・・・・被包装物
【図１】
2005075436.tif 000003
【図２】
2005075436.tif 000004
【図３】
2005075436.tif 000005
【図４】
2005075436.tif 000006
【図５】
2005075436.tif 000007
【図６】
2005075436.tif 000008
【図７】
2005075436.tif 000009
【図８】
2005075436.tif 000010
【図９】
2005075436.tif 000011
【図１０】
2005075436.tif 000012
【図１１】
2005075436.tif 000013
【図１２】
2005075436.tif 000014